(57)【要約】 【課題】  レバー無しのコネクタとして兼用でき、レバー無しの状態でもハウジング同士を嵌合状態にロックできるレバー式コネクタを提供する。【解決手段】  レバー２０のカム溝２４にカムフォロア４４を進入させ、レバー２０を回動させると、カム溝２４とカムフォロア４４との係合によるカム作用により両ハウジング１０，４０が嵌合される。レバー２０を第１ハウジング１０から外した状態では、両ハウジング１０，４０を摘んで嵌合させる。レバー２０を第１ハウジング１０に取り付けた状態で両ハウジング１０，４０を嵌合した場合と、レバー２０を第１ハウジング１０から外した状態で両ハウジング１０，４０を嵌合した場合のいずれにおいても、ロックアーム３１とロック突起４６（ロック部）との係止によって両ハウジング１０，４０が嵌合状態にロックされる。【選択図】  図９
2006302705.tif 000002
【特許請求の範囲】
【請求項１】
第１ハウジングと、
前記第１ハウジングに対して着脱可能とされ、前記第１ハウジングに取り付けた状態では待機位置と嵌合位置との間での変位を可能とされたレバーと、
カムフォロアを有する第２ハウジングとを備えてなり、
待機位置にある前記レバーのカム溝に前記カムフォロアを進入させつつ前記両ハウジングを浅く嵌合した状態から、前記レバーを嵌合位置へ変位させることで、前記カム溝と前記カムフォロアとの係合によるカム作用により前記両ハウジングが嵌合されるようになっているレバー式コネクタにおいて、
前記第１ハウジングと前記第２ハウジングのうち一方のハウジングには弾性撓み可能なロックアームが設けられ、
前記第１ハウジングと前記第２ハウジングのうち他方のハウジングにはロック部が形成され、
前記両ハウジングが嵌合した状態では、前記ロックアームと前記ロック部との係止により前記両ハウジングが離脱規制されるようになっていることを特徴とするレバー式コネクタ。
【請求項２】
前記第２ハウジングには、前記第１ハウジングと概ね反対側から指を宛うことが可能とされた指掛け部が設けられていることを特徴とする請求項１記載のレバー式コネクタ。
【請求項３】
前記レバーには、前記レバーが嵌合位置側へ変位する過程で前記第２ハウジングに接近する方向へ変位する操作部が設けられていることを特徴とする請求項２記載のレバー式コネクタ。
【発明の詳細な説明】
【技術分野】
【０００１】
本発明は、レバー式コネクタに関するものである。
【背景技術】
【０００２】
従来、レバー式コネクタとして、特許文献１に記載されているものがある。これは、第１ハウジングに、待機位置と嵌合位置との間で変位するようにレバーが取り付けられ、第２ハウジングにはカムフォロアが設けられており、レバーを待機位置に保持した状態で両ハウジングを浅く嵌合させることによりカムフォロアをレバーのカム溝に進入させ、その状態からレバーを嵌合位置まで変位させることで、カム溝とカムフォロアとの係合によるカム作用により両ハウジングが嵌合され、両ハウジングの端子金具同士が接続されるようになっている。両ハウジングが嵌合されると、レバーと第１ハウジングに設けたロック手段により、嵌合位置のレバーが待機位置へ戻らないようにロックされ、レバーがロックされることで、両ハウジングが嵌合状態にロックされる。
【特許文献１】特開平８−７８０９１号公報
【発明の開示】
【発明が解決しようとする課題】
【０００３】
既存のレバー式コネクタと端子金具同士の接続構造が共通であって、レバーによる嵌合手段を有しない形態のコネクタが要望された場合、レバーを有するハウジングとレバーを有しないハウジングを、夫々、専用ハウジングとして別々に製造しようとすると、ハウジング成型のために２種類の金型が必要となり、コストが高くなる。  
コストアップを回避する手段としては、既存のレバー式コネクタにおいてレバーを外すことで、レバー無しのタイプとして流用することが考えられる。しかし、従来のレバー式コネクタでは、両ハウジングを嵌合状態にロックする手段としてレバーのロック手段と第１ハウジングのロック手段を係合させるようになっていたため、レバーを第１ハウジングから外してしまうと、両ハウジングを嵌合状態にロックさせることはできない。  
本発明のレバーコネクタは上記のような事情に基づいて完成されたものであって、レバー無しのコネクタとして兼用できるとともに、レバー無しの状態でもハウジング同士を嵌合状態にロックできるようにすることを目的とする。
【課題を解決するための手段】
【０００４】
上記の目的を達成するための手段として、請求項１の発明は、第１ハウジングと、前記第１ハウジングに対して着脱可能とされ、前記第１ハウジングに取り付けた状態では待機位置と嵌合位置との間での変位を可能とされたレバーと、カムフォロアを有する第２ハウジングとを備えてなり、待機位置にある前記レバーのカム溝に前記カムフォロアを進入させつつ前記両ハウジングを浅く嵌合した状態から、前記レバーを嵌合位置へ変位させることで、前記カム溝と前記カムフォロアとの係合によるカム作用により前記両ハウジングが嵌合されるようになっているレバー式コネクタにおいて、前記第１ハウジングと前記第２ハウジングのうち一方のハウジングには弾性撓み可能なロックアームが設けられ、前記第１ハウジングと前記第２ハウジングのうち他方のハウジングにはロック部が形成され、前記両ハウジングが嵌合した状態では、前記ロックアームと前記ロック部との係止により前記両ハウジングが離脱規制されるようになっているところに特徴を有する。
【０００５】
請求項２の発明は、請求項１に記載のものにおいて、前記第２ハウジングには、前記第１ハウジングと概ね反対側から指を宛うことが可能とされた指掛け部が設けられているところに特徴を有する。
【０００６】
請求項３の発明は、請求項１または請求項２に記載のものにおいて、前記レバーには、前記レバーが嵌合位置側へ変位する過程で前記第２ハウジングに接近する方向へ変位する操作部が設けられているところに特徴を有する。
【発明の効果】
【０００７】
＜請求項１の発明＞
レバーを第１ハウジングに取り付けた状態で両ハウジングを嵌合すると、ロックアームとロック部との係止により両ハウジングが嵌合状態にロックされる。レバーを第１ハウジングから外した状態で両ハウジングを嵌合した場合も、ロックアームとロック部との係止により両ハウジングが嵌合状態にロックされる。本発明のレバーコネクタは、レバー無しのコネクタとして兼用できるとともに、レバー無しの状態でもハウジング同士を嵌合状態にロックすることができる。
【０００８】
＜請求項２の発明＞
片方の手の指を第１ハウジングと指掛け部に宛い、手を握るようにして指掛け部を第１ハウジングに接近させれば、レバーを外した状態でも両ハウジングの嵌合を容易に行うことができる。
【０００９】
＜請求項３の発明＞
片方の手の指をレバーの操作部と指掛け部に宛い、手を握るようにして操作部と指掛け部とを接近させつつレバーを変位させれば、片方の手だけでレバーによる嵌合作業を行うことができる。
【発明を実施するための最良の形態】
【００１０】
＜実施形態１＞
以下、本発明を具体化した実施形態１を図１乃至図１１を参照して説明する。本実施形態のレバー２０コネクタは、第１ハウジング１０と第２ハウジング４０をレバー２０を用いて嵌合・離脱させるようにしたものである。  
第１ハウジング１０は、合成樹脂製であり、全体として方形のブロック状をなし、端子収容部１１と、端子収容部１１の略前半部分を包囲する方形の筒状嵌合部１２と、筒状嵌合部１２の上面壁１２ａに沿って形成した扁平な収容空間１３とから構成される。端子収容部１１内には、複数の雌端子金具１４が後方から挿入されている。
【００１１】
収容空間１３は、レバー２０を収容するための空間であって、筒状嵌合部１２の上面壁１２ａと、その左右両側縁から立ち上がる低い側壁１３ｂと、筒状嵌合部１２の上面壁１２ａと平行であって左右両側壁１３ｂの立ち上がり端（上端）同士を連結する外壁１３ａとから構成され、収容空間１３は、第１ハウジング１０の前面（図４及び図５における左側の面）及び後面に開放されている。収容空間１３の外壁１３ａには、その下面（内面）から下向きに突出する支持軸１５が形成されている。支持軸１５の下端面と筒状嵌合部１２の上面壁１２ａとの間には、隙間が空けられており、外壁１３ａを上方へ弾性撓みさせることにより、支持軸１５の下端面と筒状嵌合部１２の上面壁１２ａとの間にレバー２０を差し込むためのスペースが一時的に確保されるようになっている。筒状嵌合部１２の上面壁１２ａには、前端縁中央部から後方へ略方形に切欠した形態の切欠状連通部１６が形成され、この切欠状連通部１６により、端子収容部１１と筒状嵌合部１２との間の角筒状の嵌合空間１７と収容空間１３とが上下に連通されている。また、切欠状連通部１６における後端右隅部には、受け部１８が形成されている。さらに、収容空間１３内における支持軸１５よりも斜め左後方の位置には、収容空間１３の外壁１３ａから下方へ突出する規制突起１９が形成されている。
【００１２】
レバー２０は、合成樹脂製であり、全体として概ね平坦な板状をなしており、レバー本体２１と操作部２２を備えている。尚、レバー２０の説明における前後左右の向きについては、レバー２０が第１ハウジング１０に対して嵌合位置（両ハウジング１０，４０を嵌合させる位置）にある状態（図４及び図１０を参照）を基準とする。レバー本体２１の平面視形状は、円の後端部領域を部分的に弓形（櫛形）に切欠した形状をなし、レバー本体２１の板厚寸法（上下寸法）は、収容空間１３の上下寸法と同じかそれよりも僅かに小さい寸法とされている。レバー本体２１の中心には、支持軸１５と嵌合可能な円形の軸受孔２３が貫通して形成されている。レバー本体２１における軸受孔２３の前方には、軸受孔２３を中心とする周方向及び径方向の双方に対して斜めをなすカム溝２４が形成されている。レバー本体２１における軸受孔２３よりも右方の位置には、後方へ片持ち状に延出する形態であって上下方向へ弾性変位可能な撓み係止片２５が形成されている。レバー本体２１における軸受孔２３の斜め左後方には、前後方向に長い逃がし部２６が上下に貫通して形成されている。
【００１３】
さらに、レバー本体２１の上面には、レバー２０が待機位置にある状態において、カム溝２４の内側面から後方に向かって軸受孔２３の前方近傍位置まで延びる第１ガイド溝２７が形成され、第１ガイド溝２７の後端部には第１ガイド斜面２７ａが形成されている。同じくレバー本体２１の上面には、レバー２０が待機位置にある状態において、レバー本体２１の外周縁から後方に向かって逃がし部２６の前方近傍位置まで延びる第２ガイド溝２８が形成され、第２ガイド溝２８の後端部には第２ガイド斜面２８ａが形成されている。
【００１４】
レバー本体２１の後端部における略左半分の領域には、全体として左右方向に長い操作部２２が一体に形成されている。操作部２２の上下寸法（厚さ寸法）はレバー本体２１の厚さ寸法よりも大きく、操作部２２はレバー本体２１の上方と下方へ突出している。また、操作部２２の後端面は、後方又は斜め後方から作業者が指を宛うことが可能な指当て面２９となっている。
【００１５】
レバー２０を第１ハウジング１０に取り付ける際には、収容空間１３の外壁１３ａを上方へ膨らませるように弾性変形させた状態とし、レバー２０を待機位置と同じ向きにして、レバー本体２１を後方から収容空間１３内に進入させて支持軸１５の下及び規制突起１９の下に潜り込ませ、支持軸１５を第１ガイド溝２７の上面前端部に当接させるとともに、規制突起１９を第２ガイド溝２８の上面前端部に当接させる。この後、レバー本体２１を後方から押すと、両ガイド溝２７，２８に案内されつつレバー２０が待機位置の姿勢を保ちつつレバー本体２１が収容空間１３内に進入していく。進入の過程では、支持軸１５が第１ガイド溝２７の上面を摺動した後、第１ガイド斜面２７ａを摺動することでレバー本体２１の上面に乗り上がるとともに、規制突起１９が第２ガイド溝２８の上面を摺動した後、第２ガイド斜面２８ａを摺動することでレバー本体２１の上面に乗り上がる。
【００１６】
そして、レバー２０が正規の組付け位置に達すると、支持軸１５と軸受孔２３が対応する位置関係となり、外壁１３ａが弾性復帰しつつ支持軸１５が下降して軸受孔２３と嵌合する。これにより、レバー２０が、第１ハウジング１０に対し、待機位置と嵌合位置との間で支持軸１５を中心として約４５°の角度範囲で回動し得るように取り付けられる。また、支持軸１５と軸受孔２３が嵌合すると同時に、規制突起１９が逃がし部２６内に進入する。以上により、第１ハウジング１０に対するレバー２０の組付けが完了する。
【００１７】
上記のようにして取り付けられたレバー２０は、そのまま第１ハウジング１０に対して待機位置に配置されることになるが、このとき、撓み係止片２５が受け部１８に係止することにより、レバー２０の嵌合位置側への回動が規制されるとともに、逃がし部２６の一端が規制突起１９に係止することにより、レバー２０の嵌合位置とは反対側への回動が規制される。これにより、レバー２０が待機位置において回動規制された状態に保持される。また、この状態から撓み係止片２５と受け部１８との係止が解除させると、レバー２０の嵌合位置への回動が許容されるようになっている。また、レバー２０が待機位置と嵌合位置との間で回動する間、規制突起１９は逃がし部２６内を相対的に移動するようになっているので、規制突起１９とレバー本体２１が干渉することはない。  
また、レバー２０を第１ハウジング１０から外す際には、レバー２０を待機位置に保持した状態で、外壁１３ａを上方へ弾性変形させることにより、支持軸１５を軸受孔２３から離脱させるとともに規制突起１９を逃がし部２６から解離させ、その状態でレバー２０を収容空間１３から後方へ引き抜けばよい。
【００１８】
筒状嵌合部１２の下面壁１２ｂには、その後端縁から前方へ切り込んだ形態の切欠部３０が形成され、この切欠部３０内には、両ハウジング１０，４０を嵌合状態にロックするためのロックアーム３１が配されている。ロックアーム３１は、前後方向に細長い板状をなし、筒状嵌合部１２の下面壁１２ｂに対して概ね面一状となるように配されている。ロックアーム３１は、その前後方向におけるほぼ中央位置において左右一対の脚部３２により端子収容部１１の下面に支持されており、脚部３２を支点として上下方向にシーソー状に弾性的に傾動変位し得るようになっている。ロックアーム３１の前端部にはロック孔３３が形成されており、ロックアーム３１の後端部には解除部３４が形成されている。
【００１９】
次に、第２ハウジング４０について説明する。  
第２ハウジング４０は、合成樹脂製であり、ブロック状をなすハウジング本体４１と、ハウジング本体４１から前方へ突出する概ね角筒状のフード部４２とを一体形成したものである。ハウジング本体４１内には、後方から複数の雄端子金具４３が挿入されており、雄端子金具４３の前端のタブ４３ａがフード部４２内において前方へ突出されている。
【００２０】
フード部４２における上面板の上面には、その幅方向中央位置であって、フード部４２の前端に近い位置にカムフォロア４４が形成されている。カムフォロア４４は、円形をなすとともに、軸線を上下方向に向けて上方へ突出する形態とされている。同じくフード部４２における上面板の上面には、カムフォロア４４の左右両側において前後方向（第１ハウジング１０に対する嵌合方向と平行な方向）へ直線状に延びる左右一対の規制解除リブ４５が形成されている。一方、第２ハウジング４０（フード部４２）の下面（外面）には、ロック突起４６（本発明の構成要件であるロック部）が形成されている。
【００２１】
また、第２ハウジング４０の上面には、ハウジング本体４１の前端とフード部４２の後端との境界付近の位置から上方へ立ち上がる左右一対の指掛け部４７が形成されている。指掛け部４７は、カムフォロア４４よりも後方であってカムフォロア４４に対して左右方向にずれた位置に配置されており、指掛け部４７の内側の側縁部と、規制解除リブ４５の後端部とが連なっている。各指掛け部４７には、その後面側を凹ませた形態の左右一対の肉抜き部４８が形成され、両肉抜き部４８の間は補強リブ４９が設けられている。この指掛け部４７の後面には、後方（即ち、両ハウジング１０，４０の嵌合時における操作部２２の変位方向と概ね反対方向）から作業者が指を水平に宛うことができるようになっており、指掛け部４７の後面の指掛け面５０は、宛った指が左右方向にずれないようにするために、平面視形状が湾曲状に凹んだ形態となっている。
【００２２】
次に、レバー２０を用いて両ハウジング１０，４０を嵌合する工程について説明する。まず、レバー２０を待機位置に保持し、カム溝２４の入口を前方に開口させる。この状態では、レバー本体２１の大部分が収容空間１３内に収容されるとともに、操作部２２が両ハウジング１０，４０の嵌合方向に対して斜め姿勢となって収容空間１３の外部後方へ突出した状態となる。このとき、指当て面２９は、第１ハウジング１０の後端面１０Ｒに対して斜めを向くと同時に、両ハウジング１０，４０の嵌合方向の双方に対しても斜めを向いている。
【００２３】
この状態から、第１ハウジング１０の嵌合空間１７に第２ハウジング４０のフード部４２を浅く嵌入させる。すると、カムフォロア４４がカム溝２４の入口に進入するとともに、規制解除リブ４５が、撓み係止片２５を上方へ弾性変位させて受け部１８から解離させ、これにより、レバー２０の回転規制状態が解除される。
【００２４】
この後、レバー２０を嵌合位置側へ回動させるのであるが、このとき、操作部２２の指当て面２９に対して第１ハウジング１０の斜め後方から親指の腹を宛うとともに、第２ハウジング４０の左右両指掛け部４７の指掛け面５０に対し第２ハウジング４０の後方から人差し指と中指の腹を宛い、操作部２２と指掛け部４７とを接近させるように（手を握るように）指に力を込めると、レバー２０を嵌合方向へ回動させることができる。レバー２０の回動が進むと、操作部２２が、両ハウジング１０，４０の嵌合方向と概ね平行な方向へ変位しつつ指掛け部４７に接近するとともに、指当て面２９の向きが、両ハウジング１０，４０の嵌合方向と直角な向きに近づくように変位していく。
【００２５】
このレバー２０の回転に伴い、カム溝２４とカムフォロア４４との係合によるカム作用（倍力作用）により、第２ハウジング４０が第１ハウジング１０側へ引き込まれる。そして、レバー２０が嵌合位置に達すると、両ハウジング１０，４０が正規の嵌合状態に至るとともに、タブ４３ａが第１ハウジング１０内に進入して雄端子金具４３と雌端子金具１４が導通可能に接続される。
【００２６】
レバー２０が回動する過程では、ロックアーム３１の前端部がロック突起４６と干渉して弾性撓みする。そして、レバー２０が嵌合位置に達すると、両ハウジング１０，４０が正規の嵌合状態となり、ロックアーム３１が弾性復帰してロック孔３３をロック突起４６に係止させることにより、両ハウジング１０，４０が離脱規制状態にロックされるとともに、この両ハウジング１０，４０のロックにより、レバー２０が嵌合位置において待機位置側への回動（戻り）を規制された状態にロックされる。また、操作部２２の前面が筒状嵌合部１２の上面壁１２ａ及び収容空間１３の外壁１３ａの後端面に突き当たることにより、レバー２０の嵌合位置を通過した過剰な回動が規制されるとともに、フード部４２の先端が嵌合空間１７の奥端面に突き当たることにより、両ハウジング１０，４０の嵌合方向への相対変位（接近動作）も規制される。
【００２７】
嵌合された両ハウジング１０，４０を離脱する際には、ロックアーム３１の後端の解除部３４を下から指で押し上げることにより、ロックアーム３１の前端を下方へ弾性変位させてロック孔３３をロック突起４６から解離させる。これにより、ロックアーム３１とロック突起４６によりロックが解除され、両ハウジング１０，４０が離脱を許容されると同時に、レバー２０が待機位置への変位を許容された状態となる。この後は、ロック解除状態を保ったまま、レバー２０を待機位置側へ回動させるか、若しくは両ハウジング１０，４０を摘んで引き離せば、両ハウジング１０，４０が離脱される。
【００２８】
本実施形態のレバー式コネクタは、レバー２０を第１ハウジング１０から外した状態でも、両ハウジング１０，４０の嵌合状態を成立させることができる。この場合は、嵌合空間１７にフード部４２を嵌入し、そのまま、両ハウジング１０，４０を接近させればよい。このとき、親指を第１ハウジング１０の後端面１０Ｒに宛うとともに、左右両指掛け部４７に人差し指と中指の腹を宛い、操作部２２と指掛け部４７とを接近させるように（手を握るように）指に力を込めれば、両ハウジング１０，４０を嵌合させることができる。
【００２９】
両ハウジング１０，４０が嵌合した状態では、上記と同様に、弾性撓みしていたロックアーム３１が弾性復帰してロック孔３３をロック突起４６に係止させることにより、両ハウジング１０，４０が離脱規制状態にロックされるとともに、フード部４２の先端が嵌合空間１７の奥端面に突き当たることにより、両ハウジング１０，４０の嵌合方向への相対変位（接近動作）が規制され、もって、両ハウジング１０，４０が嵌合状態にロックされる。
【００３０】
上述のように本実施形態においては、レバー２０を第１ハウジング１０に取り付けた状態で両ハウジング１０，４０を嵌合すると、ロックアーム３１とロック突起４６との係止により両ハウジング１０，４０が嵌合状態にロックされ、レバー２０を第１ハウジング１０から外した状態で両ハウジング１０，４０を嵌合した場合も、ロックアーム３１とロック突起４６との係止により両ハウジング１０，４０が嵌合状態にロックされる。このように、本実施形態のレバー式コネクタは、レバー無しのコネクタとして兼用できるとともに、レバー無しの状態でもハウジング１０，４０同士を嵌合状態にロックすることができる。
【００３１】
また、第２ハウジング４０には、第１ハウジング１０と概ね反対側から指を宛うことが可能とされた指掛け部４７が設けられているので、片方の手の指を第１ハウジング１０と指掛け部４７に宛い、手を握るようにして指掛け部４７を第１ハウジング１０に接近させれば、レバー２０を外した状態でも両ハウジング１０，４０の嵌合を容易に行うことができる。
【００３２】
また、レバー２０には、レバー２０が嵌合位置側へ変位する過程で第２ハウジング４０に接近する方向へ変位する操作部２２が設けられているので、片方の手の指をレバー２０の操作部２２と指掛け部４７に宛い、手を握るようにして操作部２２と指掛け部４７とを接近させつつレバー２０を変位させれば、片方の手だけでレバー２０による嵌合作業を行うことができる。
【００３３】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態ではレバーを回動するようにしたが、本発明は、レバーが直線的にスライドするレバー式コネクタにも適用できる。  
（２）上記実施形態ではロックアームをレバーの取付け母体である第１ハウジングに設け、ロック部を第２ハウジングに設けたが、本発明によれば、ロックアームを第２ハウジングに設け、ロック部をレバーの取付け母体である第１ハウジングに設けてもよい。  
（３）上記実施形態ではレバーが配されている側とは反対側の面にロックアームを配したが、本発明によれば、ロックアームは、レバーが配されている面と直角な面に配してもよく、レバーが配されている面と同じ面に配してもよい。  
（４）上記実施形態ではレバーが１枚板状をなす場合について説明したが、本発明は、レバーが、操作部の両端から一対のアーム部を延出させた門形の形態である場合にも適用できる。  
（５）上記実施形態ではレバーと第１ハウジングにレバーを嵌合位置にロックするためのレバーロック手段を設けない構成としたが、本発明によれば、このようなレバーロック手段を設ける構成としてもよい。  
（６）上記実施形態ではロックアームがシーソー状に傾動変位するようにしたが、本発明によれば、ロックアームがその一端を支点として傾動変位するようにしてもよい。  
（７）上記実施形態ではレバーをハウジングの内部に収容したが、本発明に寄れば、レバーをハウジングの外面に露出させてもよい。
【図面の簡単な説明】
【００３４】
【図１】実施形態１の第１ハウジングの正面図
【図２】第１ハウジングの背面図
【図３】第１ハウジングの平面図
【図４】図１のＸ−Ｘ線断面図
【図５】図２のＹ−Ｙ線断面図
【図６】第２ハウジングの平面図
【図７】第２ハウジングの底面図
【図８】図６のＺ−Ｚ線断面図
【図９】レバーを用いて第１ハウジングと第２ハウジングを嵌合した状態をあらわす縦断面図
【図１０】レバーを用いて第１ハウジングと第２ハウジングを嵌合した状態をあらわす水平断面図
【図１１】レバーを用いずに第１ハウジングと第２ハウジングを嵌合した状態をあらわす縦断面図
【符号の説明】
【００３５】
１０…第１ハウジング
２０…レバー
２２…操作部
２４…カム溝
３１…ロックアーム
４０…第２ハウジング
４４…カムフォロア
４６…ロック突起（ロック部）
４７…指掛け部
【図１】
2006302705.tif 000003
【図２】
2006302705.tif 000004
【図３】
2006302705.tif 000005
【図４】
2006302705.tif 000006
【図５】
2006302705.tif 000007
【図６】
2006302705.tif 000008
【図７】
2006302705.tif 000009
【図８】
2006302705.tif 000010
【図９】
2006302705.tif 000011
【図１０】
2006302705.tif 000012
【図１１】
2006302705.tif 000013